(57)【要約】【課題】結合された筺体同士のずれの発生を防ぐことができる連結型機器及び可逆型電磁接触器を得ること。【解決手段】筺体１ａの接合面１ｂに形成された凸部１ｃと、該凸部１ｃの中に形成された凹部１ｄとから成る凸凹部１ｅを有する第１の機器１と、筺体２ａの接合面２ｂに前記凸凹部１ｅと嵌合する凹凸部２ｅを有し、前記第１の機器１と接合される第２の機器２と、から成る。また、筺体１ａの接合面１ｂに形成された凸部１ｃと、該凸部１ｃの中に形成された凹部１ｄとから成る凸凹部１ｅを有する第１の電磁接触器１と、筺体２ａの接合面２ｂに前記凸凹部１ｅと嵌合する凹凸部２ｅを有し、前記第１の電磁接触器１と接合される第２の電磁接触機２と、から成る。【選択図】        図１
2005340013.tif 000002
【特許請求の範囲】
【請求項１】
筺体の接合面に形成された凸部と、該凸部の中に形成された凹部とから成る凸凹部を有する第１の機器と、
筺体の接合面に前記凸凹部と嵌合する凹凸部を有し、前記第１の機器と接合される第２の機器と、
から成る連結型機器。
【請求項２】
前記第１の機器の接合面には、さらに前記凹凸部が形成され、前記第２の機器の接合面には、さらに該凹凸部と嵌合する凸凹部が形成されていることを特徴とする請求項１に記載の連結型機器。
【請求項３】
筺体の接合面に形成された凸部と、該凸部の中に形成された凹部とから成る凸凹部を有する第１の電磁接触器と、
筺体の接合面に前記凸凹部と嵌合する凹凸部を有し、前記第１の電磁接触器と接合される第２の電磁接触器と、
から成る可逆型電磁接触器。
【請求項４】
前記第１の電磁接触器の接合面には、さらに前記凹凸部が形成され、前記第２の電磁接触器の接合面には、さらに該凹凸部と嵌合する凸凹部が形成されていることを特徴とする請求項３に記載の可逆型電磁接触器。
【請求項５】
前記凸凹部の凸部及び凹凸部の凸部の前記接合面からの突出高さは、前記凸凹部と凹凸部の嵌合深さの１／２であることを特徴とする請求項１又は２に記載の連結型機器。
【請求項６】
前記凸凹部の凸部及び凹凸部の凸部の前記接合面からの突出高さは、前記凸凹部と凹凸部の嵌合深さの１／２であることを特徴とする請求項３又は４に記載の可逆型電磁接触器。
【発明の詳細な説明】
【技術分野】
【０００１】
本発明は、機械的インターロック機構付きの可逆型電磁接触器等の連結型機器に関するものである。
【背景技術】
【０００２】
連結型機器としての従来の可逆型電磁接触器は、一対の電磁接触器を有し、この各電磁接触器は、可動接点と固定接点との開閉動作を行うための電磁石部の動作により移動する連動レバーとこの連動レバーと連結され前記連動レバーの動作により移動するクロスレバーとを筺体内に有し、前記連動レバーとクロスレバーとの連結部は前記筺体の第一の壁面の近傍に位置し、前記一対の電磁接触器は、それぞれ前記第一の壁面同士を対向する面として近設されるとともに、前記連結部に前記クロスバーの動きを規制するインターロック部材の係合端部を係合させる被係合部を設け、前記一対の電磁接触器のそれぞれの前記第一の壁面に前記インターロック部材が貫通するための開口部を設けていた（例えば、特許文献１参照）。
【０００３】
【特許文献１】特開２００２−３７３５６４号公報（請求項１、図１）
【発明の開示】
【発明が解決しようとする課題】
【０００４】
しかしながら、上記従来の可逆型電磁接触器は、一対の電磁接触器のそれぞれの筺体の底面部に嵌め合わされる連結体によって結合されており、実際の設置時には、さらに別のネジ等の固定部材によって固定されるのであるが、一対の筺体の接合面に平行な方向の外力が加わると、筺体同士のずれが発生してしまうという問題があった。
【０００５】
本発明は、上記に鑑みてなされたものであって、結合された筺体同士のずれの発生を防ぐことができる連結型機器及び可逆型電磁接触器を得ることを目的とする。
【課題を解決するための手段】
【０００６】
上述した課題を解決し、目的を達成するために、本発明の連結型機器は、筺体の接合面に形成された凸部と、該凸部の中に形成された凹部とから成る凸凹部を有する第１の機器と、筺体の接合面に前記凸凹部と嵌合する凹凸部を有し、前記第１の機器と接合される第２の機器と、から成る。
【０００７】
第１の機器の筺体の接合面に形成された凹凸部と、第２の機器の筺体の接合面に形成された凸凹部とが嵌合されて第１、第２の機器が接合されるので、接合面に平行な方向の外力が加わっても、筺体同士のずれは発生しない。
【発明の効果】
【０００８】
この発明によれば、接合のための部品数の増加がなく、接合前の単体の外形がコンパクトで、外力が加わっても筺体同士のずれが発生しない連結型機器が得られるという効果を奏する。
【発明を実施するための最良の形態】
【０００９】
以下に、本発明にかかる連結型機器としての可逆型電磁接触器の実施の形態を図面に基づいて詳細に説明する。なお、この実施の形態によりこの発明が限定されるものではない。
【００１０】
実施の形態１．
図１は、実施の形態１の可逆型電磁接触器１００の分解斜視図、図２は、第１の電磁接触器の凸凹部１ｅの拡大斜視図、図３は、第２の電磁接触器の凹凸部２ｅの拡大斜視図、図４は、凸凹部１ｅと凹凸部２ｅが嵌合した状態を示す拡大断面図である。
【００１１】
第１の電磁接触器１の筺体１ａの接合面１ｂの上部には、接合面１ｂからの高さＢの矩形の凸部１ｃが形成され、凸部１ｃの中央部には、深さＡの矩形の凹部１ｄが形成されている。ここで、Ｂ＝Ａ／２としている。凸部１ｃ及び凹部１ｄは、凸凹部１ｅを構成する。また、図示しないインターロック機構のピンを挿通させる開口部１ｆが、接合面１ｂの上部に設けられている。
【００１２】
第２の電磁接触器２の筺体２ａの接合面２ｂ（図１では陰になっている）の上部には、凸部１ｃに嵌合する図３に示す深さＢの矩形の凹部２ｃが形成され、凹部２ｃの中央部には、凹部１ｄに嵌合する高さＡの矩形の凸部２ｄが形成されている。凸部２ｄの接合面２ｂからの高さはＢとなっている。凹部２ｃ及び凸部２ｄは、凹凸部２ｅを構成する。また、図示しないインターロック機構のピンを挿通させる開口部が、接合面２ｂの、開口部１ｆの対称位置に設けられている。
【００１３】
凸凹部１ｅ及び凹凸部２ｅは、両者が嵌合したとき第１の電磁接触器１と第２の電磁接触器２とが、ずれがなく一致するように、それぞれの接合面の対称位置に形成されている。図４に示すように、凸凹部１ｅと凹凸部２ｅの嵌合深さはＡとなるが、凸凹部１ｅと凹凸部２ｅそれぞれの接合面からの突出高さはＢ＝Ａ／２であり、嵌合深さＡを確保しつつ突出高さＢをＡの半分の寸法としている。この嵌合構造により、第１、第２の電磁接触器１、２の単体の外形寸法を抑えることができる。
【００１４】
凸凹部１ｅと凹凸部２ｅが嵌合された第１、第２の電磁接触器１、２は、従来の可逆型電磁接触器と同様に、それぞれの筺体の底面部に嵌め合わされる連結体によって結合され、さらに別のネジ等の固定部材によって固定されるので、接合のための部品数の増加はない。また、凸部２ｄの外周を凸部１ｃが囲み、凸部１ｃの外周を凹部２ｃの外壁が囲むようになっているので、接合面に平行なあらゆる方向の外力が加わっても、筺体１ａ、２ａ同士のずれが発生することはない。
【００１５】
実施の形態２．
図５は、実施の形態２の可逆型電磁接触器２００の分解斜視図、図６は、第１の電磁接触器の凸凹部１ｅ及び凹凸部２ｅの拡大斜視図である。図５及び図６において、図１〜図４と同等のものは同一の符号を付してその詳細な説明を省略する。
【００１６】
第１の電磁接触器２１の筺体１ａの接合面１ｂの図示の上部左側には、凸凹部１ｅが形成されている。さらに、接合面１ｂの図示の上部右側には、凹凸部２ｅが形成されている。第２の電磁接触器２２の筺体２ａの接合面２ｂ（図５では陰になっている）の上部左側には、凸凹部１ｅに嵌合する図６に示す凹凸部２ｅが形成されている。さらに、接合面２ｂの上部右側には、接合面１ｂの凹凸部２ｅに嵌合する図６に示す凸凹部１ｅが形成されている。実施の形態２の可逆型電磁接触器２００は、他の部分は実施の形態１の可逆型電磁接触器と変わるところはない。
【００１７】
接合面１ｂの凸凹部１ｅ及び凹凸部２ｅと、接合面２ｂの凹凸部２ｅ及び凸凹部１ｅとは、両者が嵌合したとき第１の電磁接触器２１と第２の電磁接触器２２とが、ずれがなく一致するように、それぞれの接合面の対称位置に形成されている。
【００１８】
接合面１ｂの凸凹部１ｅ及び凹凸部２ｅと、接合面２ｂの凹凸部２ｅ及び凸凹部１ｅとが嵌合された第１、第２の電磁接触器２１、２２は、従来の可逆型電磁接触器と同様に、それぞれの筺体の底面部に嵌め合わされる連結体によって結合され、さらに別のネジ等の固定部材によって固定されるので、接合のための部品数の増加はない。また、接合面に平行なあらゆる方向の外力が加わっても、筺体１ａ、２ａ同士のずれが発生することはない。特に、２つの嵌合部を有しているので、接合面に平行な捩り力に対し抵抗力が強い。また、それぞれの嵌合構造は、実施の形態１と同様であるので、第１、第２の電磁接触器１、２の単体の外形寸法を抑えることができる。
【００１９】
以上、連結型機器としての可逆型電磁接触器１００、２００の実施の形態を説明したが、この発明は、他の連結型機器にも適用することができる。
【産業上の利用可能性】
【００２０】
以上のように、本発明にかかる連結型機器は、一対の筺体の接合面に平行な方向の外力が加わる可能性のある機器に有用である。
【図面の簡単な説明】
【００２１】
【図１】実施の形態１の可逆型電磁接触器の分解斜視図である。
【図２】第１の電磁接触器の凸凹部の拡大斜視図である。
【図３】第２の電磁接触器の凹凸部の拡大斜視図である。
【図４】凸凹部と凹凸部が嵌合した状態を示す拡大断面図である。
【図５】実施の形態２の可逆型電磁接触器の分解斜視図である。
【図６】第１の電磁接触器の凸凹部及び凹凸部の拡大斜視図である。
【符号の説明】
【００２２】
１  第１の電磁接触器（第１の機器）
２  第２の電磁接触器（第２の機器）
１ａ，２ａ  筐体
１ｂ，２ｂ  接合面
１ｃ，２ｄ  凸部
１ｄ，２ｃ  凹部
１ｅ  凸凹部
２ｅ  凹凸部
１００，２００  可逆型電磁接触器（連結型機器）
【図１】
2005340013.tif 000003
【図２】
2005340013.tif 000004
【図３】
2005340013.tif 000005
【図４】
2005340013.tif 000006
【図５】
2005340013.tif 000007
【図６】
2005340013.tif 000008